(57)【要約】【課題】  浴槽内の患者の介助作業及び浴槽内の清掃等が行ない易い介助台付入浴装置を提供することである。【解決手段】  介助台（６）が、支持具（４１）で、高さ調節可能に支持されると共に可搬な浴槽（３）の側壁外面に着脱可能に取着され、介助台（６）は、浴槽（３）に沿って平行な長方形の板体（１８）と、板体（１８）を支持し高さ調節を可能とする支持具（４１）とからなり、板体（１８）の浴槽（３）から遠い側の周縁は丸く面取り形成され、板体（１８）の下方には介助者の足の爪先が進入できる爪先空間（２１）を開けられてなる介助台付入浴装置である。【選択図】      図１
2007117356.tif 000002
【特許請求の範囲】
【請求項１】
介助台（６）が、支持具（４１）で、高さ調節可能に支持されると共に可搬な浴槽（３）の側壁外面に着脱可能に取着されることを特徴とする介助台付入浴装置。
【請求項２】
介助台（６）は、浴槽（３）に沿って平行な長方形の板体（１８）と、板体（１８）を支持し高さ調節を可能とする支持具（４１）とからなり、
板体（１８）の浴槽（３）から遠い側の周縁は丸く面取り形成され、板体（１８）の下方には介助者の足の爪先が進入できる爪先空間（２１）を開けられてなることを特徴とする請求項１記載の介助台付入浴装置。
【請求項３】
浴槽（３）に横付けされる搬送車（２）が付加設置され、搬送車（２）には鉤形状部材でなる掛け具（２６）が設けられ、浴槽（３）に前記掛け具（２６）を受け止める受け具（２３）が設けられ、掛け具（２６）を受け具（２３）に掛けて搬送車（２）が浴槽（３）に横付けされ、
前記受け具（２３）は、介助台（６）の縁に設けられたパイプ（２０）の延設中途部に、パイプ（２０）の延設方向と同方向に設けられるものであることを特徴とする請求項２記載の介助台付入浴装置。
【発明の詳細な説明】
【技術分野】
【０００１】
本発明は、介護を必要とする人（＝以下患者という）が入浴する時に使用する介助台付入浴装置に関する。
【背景技術】
【０００２】
従来の技術には、浴槽の側壁下部にステップが一体的に設けられた移動・置き式簡易浴槽が開示されている。
従来の技術は、浴槽の側壁下部にステップが一体的に設けられたものである。患者は、ステップに足を掛ければ容易に浴槽に入れ、入浴動作が楽である。しかし、ステップの高さを変更する構成が無いので、介助者がこのステップに上がる場合、介助者の身長に対応してステップの高さを変更できず、不便である。
【特許文献１】特開平１１−１９２２７８号公報
【発明の開示】
【発明が解決しようとする課題】
【０００３】
解決しようとする問題点は、ステップの高さを変更できず不便であり、又、ステップの下方に空間が無く床面に立つ介助者が浴槽に接近し難くい点である。
【課題を解決するための手段】
【０００４】
本発明の目的は、浴槽内の患者の介助作業及び浴槽内の清掃等が行ない易い介助台付入浴装置を提供することである。
【０００５】
即ち本発明は、介助台（６）が、支持具（４１）で、高さ調節可能に支持されると共に可搬な浴槽（３）の側壁外面に着脱可能に取着されることを特徴とする介助台付入浴装置である。
又、介助台（６）は、浴槽（３）に沿って平行な長方形の板体（１８）と、板体（１８）を支持し高さ調節を可能とする支持具（４１）とからなり、板体（１８）の浴槽（３）から遠い側の周縁は丸く面取り形成され、板体（１８）の下方には介助者の足の爪先が進入できる爪先空間（２１）を開けられてなる。
更に、浴槽（３）に横付けされる搬送車（２）が付加設置され、搬送車（２）には鉤形状部材でなる掛け具（２６）が設けられ、浴槽（３）に前記掛け具（２６）を受け止める受け具（２３）が設けられ、掛け具（２６）を受け具（２３）に掛けて搬送車（２）が浴槽（３）に横付けされ、前記受け具（２３）は、介助台（６）の縁に設けられたパイプ（２０）の延設中途部に、パイプ（２０）の延設方向と同方向に設けられるものである。
【発明の効果】
【０００６】
本発明に係る介助台６が、支持具４１で高さ調節可能に支持されると共に可搬な浴槽３の側壁外面に着脱可能に取着されてなるものであるから、介助者は、患者の入浴介助、及び浴槽３内の掃除を、介助台６に上って行なえば、充分に且つ楽に行なえ、好都合である。
特に短躯の介助者の場合には、介助台６に上がって行なえば、充分に手が、患者へ又は浴槽３の底壁１５へ届き、好都合である。
又、ユーザーの要望に応えて介助台６の高さを好適な高さに設定でき、介助台６を良好に使用でき、好都合である。
又、既設の浴槽３に介助台６を容易に取り付けることができ、好都合である。
【０００７】
本発明に係る介助台６は、浴槽３に沿って平行な長方形の板体１８と、板体１８を水平に支持し高さ調節を可能とする支持具４１とからなり、板体１８の浴槽３から遠い側の周縁は丸く面取り形成され、板体１８の下方には介助者の足の爪先が進入できる爪先空間２１を開けてなるものであるから、介助台６を使わないで介助する介助者（例えば、長身の介助者）は、足の爪先を介助台６の下に入れ、介助台６に接近でき介助し易く、好都合である。又、介助台６を使わないで介助する介助者は、介助台６の周縁にパイプ２０が用いられるから、介助台６の縁にぶつかっても縁が丸いので足を怪我することはなく、安全であり、好都合である。
【０００８】
本発明は、浴槽３に横付けされる搬送車２が付加設置され、浴槽３には受け具２３が設けられ、該受け具２３は、介助台６の縁に設けられたパイプ２０の延設中途部に、パイプ２０の延設方向と同方向に設けられるものであり、搬送車２には前記受け具２３に掛け止める掛け具２６が設けられるものであるから、介助台６が、介助者を高さ支援する作用・効果と、搬送車２の掛け具２６を受け止め、搬送車２を確実に浴槽３に掛止する作用・効果との両作用を発揮でき、好都合である。
又、浴槽３の左右両側に介助台６が設けられたものでは、一方の介助台６に搬送車２を接合し、他方の介助台６に介助者が上がって入浴中患者の介助ができ、好都合である。
【発明を実施するための最良の形態】
【０００９】
浴槽３内の患者の介助作業及び浴槽３内の清掃等が行ない易い介助台付入浴装置１を、介助台６が、支持具４１で、高さ調節可能に支持されると共に可搬な浴槽３の側壁外面に着脱可能に取着される構成として、実現した。
【実施例１】
【００１０】
図１乃至５に本発明に係る介助台付入浴装置１の実施例１を示している。
実施例１は、搬送車２と、可搬な浴槽３と、搬送車２及び浴槽３に載せられそれらの搬送車２と浴槽３の間を移動する担架４と、浴槽３の側壁外面に着脱可能に取着される介助台６とからなる介助台付入浴装置１である。
【００１１】
担架４は患者を乗せるものである。
搬送車２は、担架４を載せ、床面７に走行させ患者を運ぶものであり、又、介助者により、浴槽３に接合されるものである。
前記接合が完了した後、患者を乗せた担架４は、介助者により、搬送車２の幅方向に動かされ、浴槽３の架台レール８へ移乗させられるものである。
【００１２】
架台レール８は一定高さに固定されている。
浴槽３は介助者の上昇スイッチ９の操作により上昇し、担架４及び患者は、浴槽３内の湯に浸けられる。
この様にして介助台付入浴装置１は、患者に対して入浴を行なうものである。
介助台６は、浴槽３内の入浴中の患者の介助を行なう介助者が上がるもので、介助者の高さを支援するものである。
【００１３】
浴槽３は、床面７に載置される基枠１０と、基枠１０上に設けられるＸフレーム１１及び伸縮体１２とでなる昇降機構１３と、湯を内部に溜める容器であり昇降機構１３に支持される浴槽部１４と、浴槽部１４の底壁１５を貫通した架台支柱１６と、該架台支柱１６の頂部に取着され担架４を支持する架台レール８とからなる。
浴槽３の側壁下部に設けられた介助台６は、接合する搬送車２を所定の位置に誘導し決める機能も有するものである。
【００１４】
可搬な浴槽３の側壁外面に、高さ調節可能な支持具４１を備えた介助台６が、着脱可能に設けられる。当該介助台６は既設の浴槽３にも容易に取り付けることができる。
【００１５】
介助台６は、浴槽３に沿って平行な略長方形の板体１８と、板体１８を水平面状に支持する支持具４１と、板体１８の浴槽３から遠い側の周縁に設けられるパイプ２０と、受け具２３と、ガイド用縦板５０とから構成される。前記周縁はパイプ２０により丸く面取り形成されている。
【００１６】
支持具４１は、床面７に縦状に置かれ長さ調節可能な脚１９と、基枠１０に横移動可能に螺着され更に脚１９と上下移動可能に螺着される取着具４２とからなり、介助台６を高さ調節可能に支持する。前記脚１９にはネジ部材でなる高さ調節具４７が設けられる。
又、取着具４２の一方には長穴４８があけられ、この長穴４８部分は、浴槽３との離間距離を調節可能に底ボルト４３で螺着され、取着具４２の他方には縦長穴４９があけられ、この縦長穴４９部分は、脚１９に上下方向に移動・固定調節可能に調節ボルト２２で螺着される。
板体１８の下方には爪先が進入できる爪先空間２１が開けられる。
【００１７】
浴槽３に横付けされる搬送車２が付加設置される。浴槽３には受け具２３が設けられるが、その受け具２３は、介助台６のパイプ２０の延設中途部に、パイプ２０の延設方向と同方向に設けられている。
【００１８】
昇降機構１３は、浴槽部１４を昇降可能に支持するものである。即ち、昇降機構１３を構成する伸縮体１２を伸長させればＸフレーム１１の斜辺は起立方向へ回動し浴槽部１４が上昇する。又逆に、伸縮体１２を縮小させればＸフレーム１１の斜辺は倒伏方向へ回動し浴槽部１４が下降する。
【００１９】
浴槽部１４の底壁１５には、架台支柱１６が貫通され該架台支柱１６との水密を図るシール具２５が設けられる。
【００２０】
搬送車２は、浴槽３に横付け接合し又は接合を解除して離間する。搬送車２は、下フレーム２７と、下フレーム２７に立設される支柱２８と、支柱２８に支持される上フレーム２９と、上フレーム２９に載設される水受皿３０と、水受皿３０の上方位置に担架４を摺動可能に支持し上フレーム２９に載設される搬送車レール３１と、上フレーム２９に延設されるハンドル３２と、下フレーム２７の下面に設けられる車輪３３とから構成される。
【００２１】
搬送車２の下フレーム２７の左右方向（＝幅方向）の端部には、浴槽３の側壁に設けられる受け具２３に掛け止め又は解除する掛け具２６が設けられ、搬送車２を浴槽３に接合させ又は解除する。
【００２２】
下フレーム２７に設けられる二つの位置決めローラー１７は、介助台６の両端のガイド用縦板５０にそれぞれ当接して、浴槽３に接近する搬送車２を所定位置に誘導するものである。
【００２３】
担架４は、担架基枠３４と、乗部３５と、搬送車レール３１を転動する複数のローラー３６と、複数のローラー３６を取り付け担架基枠３４に設けられるローラー枠３７とからなる。
【００２４】
図１中、５は板体１８を補強する補強板、４６は保護枠、図２中、４４は掛け具２６が嵌る長穴、図３中、３８はシャワー具、図４中、３９は気泡盤、４０は架台レール８を支持する支持枠、２４は停止スイッチ、４５は下降スイッチである。
【００２５】
本発明を使用する際介助者は、搬送車２上に載せられた担架４に患者を乗せる。搬送車２を床面７に走行させ、患者を運ぶ。
【００２６】
搬送車２を浴槽３に横付けする。
浴槽３の介助台６のパイプ２０の延設中途部にある受け具２３に、搬送車２の掛け具２６を掛け止める。掛け具２６は、受け具２３の高さの変更に対応して掛止できる形状・長さのものである。
搬送車２の掛け具２６が浴槽３の受け具２３に引っ掛かって、搬送車２と浴槽３の接合が完了する。
【００２７】
前述の接合が完了した後、担架４の中央掛止具（図示省略）を手動で解除し、担架４を搬送車２の幅方向に摺動させる。
担架４の幅方向の端縁部を押し、担架４を搬送車２から浴槽３の架台レール８へ移乗させる。
【００２８】
担架４が架台レール８の幅方向中央に来ると担架４の前記中央掛止具が自動的に架台レール８の中央受け具（図示省略）に掛止され、担架４の移乗が完了する。
【００２９】
次に、湯を満たした浴槽３を昇降機構１３で上昇させ、担架４及び患者を湯に浸け、入浴を行なう。
介助者は介助台６の板体１８に上がって浴槽３内の患者の入浴介助を行なう。
浴室へ介助台付入浴装置１を新規に設置する際新規浴槽３に、又は既設の浴槽３に、高さ調節及び接近調節をなし、介助台６の高さを好適な位置にして浴槽３に取り付ける。
前記高さ調節は、高さ調節具４７を調節して脚１９を伸縮して行なうと共に、取着具４２の部分と支持具４１を調節ボルト２２で調節・固定して行なう。前記接近調節は、取着具４２の縦長穴４９の部分と浴槽３を底ボルト４３で調節・固定して行なう。
【００３０】
長身の介助者は、介助台６に上がらず、床面７に立って、板体１８の下方の爪先空間２１に爪先を入れ、浴槽３に接近して入浴介助を行なう。介助台６の周縁の端面はパイプ２０をもって丸く面取り形成し安全を図っている。
【００３１】
適宜な時間が経過すると、浴槽３を下降させ、担架４及び患者を湯から出し、退浴する。
担架４の前記中央掛止具を解除したまま、担架４を、架台レール８から搬送車２へ移乗する。
担架４が搬送車２の幅方向中央に来ると担架４の前記中央掛止具が自動的に搬送車２の中央受け具（図示省略）に掛止され、担架４の移乗を完了する。
【００３２】
介助者はレバー（図示省略）を握り搬送車２の掛け具２６を上方向へ動かし掛止を解除し、搬送車２を浴槽３から離間し、患者を所望位置に戻し、入浴作業を完了する。
【産業上の利用可能性】
【００３３】
介助台６は、支持具４１で高さ調節可能に支持されると共に可搬な浴槽３の側壁外面に着脱可能に取着されるものであり、この介助台６を利用して浴槽３内の患者の介助作業及び浴槽３内の清掃等を容易に行なうものに適用できる。
【図面の簡単な説明】
【００３４】
【図１】本発明の実施例１の部分正面断面図である。
【図２】本発明の実施例１に係る介助台を示す部分斜視図である。
【図３】本発明の実施例１に係る浴槽の左側面図である。
【図４】本発明の実施例１に係る浴槽の平面図である。
【図５】本発明の実施例１に係る浴槽の正面図である。
【符号の説明】
【００３５】
１  介助台付入浴装置
２    搬送車
３    浴槽
６    介助台
１８    板体
２０    パイプ
２１    爪先空間
２３    受け具
２６    掛け具
４１    支持具
【図１】
2007117356.tif 000003
【図２】
2007117356.tif 000004
【図３】
2007117356.tif 000005
【図４】
2007117356.tif 000006
【図５】
2007117356.tif 000007